(57)【要約】【課題】  電力使用や電力事業者に対する需要家の関心を高める。【解決手段】  各需要家Ｍが通信端末４を介してアクセス可能な電力事業者のウェブサーバ３と、各需要家Ｍの電力使用量を記憶する電力使用量サーバ２とが通信自在に接続され、ウェブサーバ３に、需要家Ｍが該需要家Ｍの所定期間の電力使用量の予測量を入力可能な予測登録タスク３１１と、所定期間の経過後に、電力使用量サーバ２から需要家Ｍの所定期間における実際の電力使用量を取得し、該実際の電力使用量と予測量との差が小さいほど多くのポイントを需要家Ｍに付与する予測ポイントタスク３１２と、を備える。【選択図】  図１
2017182608.tif 000002
【特許請求の範囲】
【請求項１】
電力の需要家が通信端末を介してアクセス可能な電力事業者のウェブサーバと、各需要家の電力使用量を記憶する電力使用量サーバとが通信自在に接続され、
前記ウェブサーバに、
需要家が該需要家の所定期間の電力使用量の予測量を入力可能な入力手段と、
前記所定期間の経過後に、前記電力使用量サーバから前記需要家の前記所定期間における実際の電力使用量を取得し、該実際の電力使用量と前記予測量との差が小さいほど多くのポイントを前記需要家に付与する予測ポイント手段と、を備える、
ことを特徴とする電力需要家向けポイントシステム。
【請求項２】
前記ウェブサーバに、前記電力使用量サーバから取得した前記需要家の過去の電力使用量を含む、前記予測量のヒントを前記通信端末に提供するヒント提供手段を備える、
ことを特徴とする請求項１に記載の電力需要家向けポイントシステム。
【請求項３】
前記ウェブサーバに、前記予測ポイント手段で付与されるポイントを前記需要家に通知する結果通知手段を備える、
ことを特徴とする請求項１または２のいずれか１項に記載の電力需要家向けポイントシステム。
【請求項４】
前記ウェブサーバに、前記実際の電力使用量に基づいて前記需要家にポイントを付与する使用量ポイント手段を備える、
ことを特徴とする請求項１から３のいずれか１項に記載の電力需要家向けポイントシステム。
【請求項５】
前記入力手段は、所定の受付期間内で前記予測量を入力可能となっている、
ことを特徴とする請求項１から４のいずれか１項に記載の電力需要家向けポイントシステム。
【請求項６】
前記入力手段は、所定の要件を満たす需要家が前記予測量を入力可能となっている、
ことを特徴とする請求項１から５のいずれか１項に記載の電力需要家向けポイントシステム。
【発明の詳細な説明】
【技術分野】
【０００１】
この発明は、電力の需要家に対してポイントを付与する電力需要家向けポイントシステムに関する。
【背景技術】
【０００２】
電力事業者（電力供給側）の発電設備を含む電力設備は、全体の使用電力が一時的に上昇する場合であっても、電力の供給が停止しないように、上昇時の電力に応じた電力を供給可能な容量にしなければならず、過剰な電力設備となるおそれがある。一方、需要家で使用される電力の推移を予測できれば、その電力に応じた容量の電力設備にすることで、電力設備の過剰化を抑制することができる。
【０００３】
換言すれば、予測・予定どおりに電力が使用されれば、電力設備の過剰化を抑制することができ、発電コストなどを低減することが可能となる。このため、需要家側に設けられた装置によって、この需要家で使用される予定電力を算定し、実際の使用電力が予定電力に近い場合に、電力基本料金の割引などの特典を与える、というシステムが知られている（例えば、特許文献１参照。）。
【先行技術文献】
【特許文献】
【０００４】
【特許文献１】特開２００３−１５３４４１号公報
【発明の概要】
【発明が解決しようとする課題】
【０００５】
ところで、いわゆる電力自由化が進む近年においては、各電力事業者は、電力料金の適正化（低料金化）をより図るとともに、サービスの向上や多様化などを図ることが期待されている。一方、各需要家は、自己の電力使用態様や各電力事業者から提供される料金メニュー、サービスなどに基づいて、自己に最適な電力事業者を選定するとともに、使用電力の適正化（省エネ・節電）を図ることが期待される。
【０００６】
このように、需要家がこれまで以上に電力使用や電力事業者に関心を持ち、電力需給に関わっていく（参加していく）ことが期待される。さらに、電力事業者にとっては、需要家により関心を寄せてもらい、永く安定した需給関係を築くことが望ましい。
【０００７】
しかしながら、例えば、特許文献１に記載のシステムでは、需要家の意向や省エネ目標などに関わらず、需要家側に設けられた装置が自動的に予定電力を算定、設定するため、需要家が主体的に参加しているとは言えず、電力使用に対する需要家の関心も上がらない。この結果、需要家が電力事業者に関心を寄せて、永く安定した需給関係を築くことも期待できない。
【０００８】
そこでこの発明は、電力使用や電力事業者に対する需要家の関心を高めることが可能な電力需要家向けポイントシステムを提供することを目的とする。
【課題を解決するための手段】
【０００９】
上記課題を解決するために、請求項１の発明は、電力の需要家が通信端末を介してアクセス可能な電力事業者のウェブサーバと、各需要家の電力使用量を記憶する電力使用量サーバとが通信自在に接続され、前記ウェブサーバに、需要家が該需要家の所定期間の電力使用量の予測量を入力可能な入力手段と、前記所定期間の経過後に、前記電力使用量サーバから前記需要家の前記所定期間における実際の電力使用量を取得し、該実際の電力使用量と前記予測量との差が小さいほど多くのポイントを前記需要家に付与する予測ポイント手段と、を備える、ことを特徴とする電力需要家向けポイントシステムである。
【００１０】
この発明によれば、ウェブサーバの入力手段で需要家が電力使用量の予測量を入力すると、ウェブサーバの予測ポイント手段によって、実際の電力使用量と予測量との差が小さいほど多くのポイントが需要家に付与される。
【００１１】
請求項２の発明は、請求項１に記載の電力需要家向けポイントシステムにおいて、前記ウェブサーバに、前記電力使用量サーバから取得した前記需要家の過去の電力使用量を含む、前記予測量のヒントを前記通信端末に提供するヒント提供手段を備える、ことを特徴とする。
【００１２】
請求項３の発明は、請求項１または２に記載の電力需要家向けポイントシステムにおいて、前記ウェブサーバに、前記予測ポイント手段で付与されるポイントを前記需要家に通知する結果通知手段を備える、ことを特徴とする。
【００１３】
請求項４の発明は、請求項１から３に記載の電力需要家向けポイントシステムにおいて、前記ウェブサーバに、前記実際の電力使用量に基づいて前記需要家にポイントを付与する使用量ポイント手段を備える、ことを特徴とする。
【００１４】
請求項５の発明は、請求項１から４に記載の電力需要家向けポイントシステムにおいて、前記入力手段は、所定の受付期間内で前記予測量を入力可能となっている、ことを特徴とする。
【００１５】
請求項６の発明は、請求項１から５に記載の電力需要家向けポイントシステムにおいて、前記入力手段は、所定の要件を満たす需要家が前記予測量を入力可能となっている、ことを特徴とする。
【発明の効果】
【００１６】
請求項１の発明によれば、需要家が自ら電力使用量の予測量を予測、入力すると、その予測量と実際の電力使用量との差（予測誤差）が小さいほど多くのポイントが需要家に付与されるため、電力使用や電力事業者に対する需要家の関心を高めることが可能となる。すなわち、需要家は、予測量をいくらにすべきか、実際の電力使用量を予測量に近づける（予測誤差を小さくする）にはどうしたらよいか、などと検討したり工夫したりし、省エネを含む電力使用に関心を寄せることが期待できる。また、電力使用量を予測することで電力事業者からポイント・特典がもらえるため、需要家がウェブサーバにアクセスして電力事業者に関心を寄せることが期待でき、この結果、需要家と電力事業者との永く安定した需給関係を築くことが期待できる。
【００１７】
請求項２の発明によれば、需要家の過去の電力使用量を含むヒントが提供されるため、需要家は、より適正な予測量を予測、入力して、予測誤差を小さくして多くのポイントを取得することが可能となる。そして、より多くのポイントを取得できるため、需要家が電力事業者により関心を寄せることが期待できるばかりでなく、過去の電力使用量などのヒントを見ることで、省エネを含む電力使用により関心を寄せることが期待できる。
【００１８】
請求項３の発明によれば、予測誤差に基づくポイントが、電力事業者から需要家に通知される。このため、需要家は、自ら意識しなくてもポイントつまり予測結果を知ることができ、電力使用や電力事業者に関心を寄せる機会が増え、その結果、需要家の関心を高めることが可能となる。
【００１９】
請求項４の発明によれば、実際の電力使用量に基づくポイントが需要家に付与されるため、電力使用や電力事業者に対する需要家の関心を高めることが可能となる。すなわち、電力を使用した分だけ電力事業者からポイント・特典がもらえるため、需要家が電力使用や電力事業者に関心を寄せることが期待できる。
【００２０】
請求項５の発明によれば、所定の受付期間内でしか予測量を入力できない。つまり、受付期間を経過した後は予測量を入力できないため、所定期間の終了間際になって精度の高い予測量を入力して、多くのポイントを取得するという行為を防止することができる。この結果、ポイント付与の公平化（公正化）、適正化が図られ、需要家に予測量の入力（予測ポイントサービス）への参加を促し、需要家が電力使用や電力事業者に関心を寄せることが期待できる。
【００２１】
請求項６の発明によれば、所定の要件を満たす需要家のみが予測量を入力できるため、ポイント・特典を得るためには、需要家が所定の要件を満たす必要がある。この結果、ポイント付与の公平化、適正化を図ることが可能になるとともに、所定の要件を満たすことを需要家に促して、需要家が電力使用や電力事業者に関心を寄せることが期待できる。
【図面の簡単な説明】
【００２２】
【図１】この発明の実施の形態に係る電力需要家向けポイントシステムを示す概略構成図である。
【図２】図１の電力需要家向けポイントシステムのウェブサーバを示す概略構成ブロック図である。
【図３】図１の電力需要家向けポイントシステムのウェブサイトのログイン画面を示す図である。
【図４】図１の電力需要家向けポイントシステムのウェブサイトの予測ポイントサービスのトップ画面を示す図である。
【図５】図４の予測ポイントサービスの契約選択画面を示す図である。
【図６】図４の予測ポイントサービスの予測量入力画面を示す図である。
【図７】図４の予測ポイントサービスの予測量確認画面を示す図である。
【図８】図４の予測ポイントサービスの予測量登録画面を示す図である。
【図９】図４の予測ポイントサービスのピタリ賞通知画面を示す図である。
【図１０】図４の予測ポイントサービスのニアピン賞通知画面を示す図である。
【図１１】図４の予測ポイントサービスの参加賞通知画面を示す図である。
【図１２】図４の予測ポイントサービスの参加履歴画面を示す図である。
【図１３】図１の電力需要家向けポイントシステムの作用、動作を示すタイミングチャートである。
【発明を実施するための形態】
【００２３】
以下、この発明を図示の実施の形態に基づいて説明する。
【００２４】
図１は、この発明の実施の形態に係る電力需要家向けポイントシステム１を示す概略構成図である。この電力需要家向けポイントシステム１は、電力事業者（電力供給側）が電力の需要家Ｍに対してポイントを付与するシステムであり、各需要家Ｍが通信端末４を介してアクセス可能な電力事業者のウェブサーバ３と、各需要家Ｍの電力使用量を記憶する電力使用量サーバ２とが通信自在に接続されている。
【００２５】
電力使用量サーバ２は、各需要家Ｍの毎月（所定期間）の電力使用量や電力料金などを記憶するサーバであり、この実施の形態では、検針データを収集するコンピュータ・サーバから定期的に検針データを受信することで、毎月の電力使用量や電力料金を算出、管理する。これに対して、電力使用量や電力料金を算出したりする他のコンピュータ・サーバから毎月の電力使用量等を受信して記憶してもよく、結果的に毎月の電力使用量や電力料金を記憶していればよい。また、需要家Ｍが電力事業者と複数の契約をしている場合には、契約ごとに毎月の電力使用量や電力料金を記憶する
【００２６】
通信端末４は、需要家Ｍが操作する端末で、パーソナルコンピュータやスマートフォン（多機能携帯端末）などを含み、インターネットＮＷを介してウェブサーバ３などと通信自在となっている。
【００２７】
ウェブサーバ３は、電力事業者のウェブサイトを提供するサーバであり、図２に示すように、主として、メインタスク３１と、メモリ３２と、需要家データベース３３と、これらを制御などする中央処理部３４と、を備える。
【００２８】
メインタスク３１は、ウェブサイトを提供、運営するためのタスク・プログラム群であり、この実施の形態では、電力事業者のウェブサイトのうち、各需要家Ｍにポイントを付与するポイントサービス・サイトを提供するためのタスクについて、主として説明する。このメインタスク３１は、予測登録タスク（入力手段、ヒント提供手段）３１１と、予測ポイントタスク（予測ポイント手段）３１２と、使用量ポイントタスク（使用量ポイント手段）３１３と、結果通知タスク（結果通知手段）３１４と、を備え、各タスク３１１〜３１４について後述する。
【００２９】
メモリ３２は、各種情報・データを記憶する記憶部であり、例えば、後述するようにして需要家Ｍによって入力された電力使用量の予測量などを記憶する。
【００３０】
需要家データベース３３は、各需要家Ｍに関する情報を記憶したデータベースであり、各需要家ＭのＩＤ（識別情報）に対して、契約番号ごとに、契約名義、契約住所、契約種別、毎月使用量が確定する日（前月の使用量が確定する日）などが記憶され、さらに、需要家Ｍのメールアドレスが記憶されている。ここで、後述するようにして付与された各需要家Ｍのポイントや、有効な現在のポイントなども、需要家データベース３３に記憶するが、他のコンピュータ・サーバに記憶してもよい。また、このように、この実施の形態では、ウェブサーバ３に需要家データベース３３を備えているが、需要家データベース３３のデータのすべてまたは一部を他のコンピュータ・サーバに記憶し、必要に応じてウェブサーバ３が他のコンピュータ・サーバから取得するようにしてもよい。
【００３１】
メインタスク３１は、まず、図３に示すようなログイン画面・ページを通信端末４に表示し（表示させ）、予め登録されたＩＤとパスワードが入力されると、需要家Ｍにポイントを付与する各種のサービスメニューを通信端末４に表示する。次に、このメニューのなかから、需要家Ｍが電力使用量を予測することで需要家Ｍにポイントが付与されるサービス（予測ポイントサービス）のメニューが選択されると、図４に示すような予測ポイントサービスのトップ画面を通信端末４に表示する。ここで、ＩＤとパスワードは、電力事業者によるポイントサービスを受けることを、予め登録している会員に与えられるものである。
【００３２】
予測登録タスク３１１は、需要家Ｍがこの需要家Ｍ（自己）の所定期間の電力使用量の予測量を入力可能なタスク・プログラムであり、所定の受付期間内で予測量を入力可能となっている。すなわち、まず、図４に示すトップ画面において、「参加する」が選択されると、この需要家Ｍの情報を需要家データベース３３から取得し、図５に示すように、この需要家Ｍが契約しているすべての契約番号に対する契約名義、契約住所、契約種別、参加期限、参加月、参加状況を示す、契約選択画面を通信端末４に表示する。図４では、１つの契約に対してのみ表示しているが、複数の契約を有する場合には、すべての契約に対して表示する。
【００３３】
ここで、参加期限とは、予測量を入力できる期限であり、次のようにして算出される。すなわち、この実施の形態では、予測する電力使用量の所定期間を１カ月の検針期間とし、前月の使用量が確定してから（翌月の検針期間の初日・開始日から）８日間の内（所定の受付期間内）に、予測量を入力可能となっている。従って、前月の使用量が確定した月日と現在の月日とから、参加期限を算出、表示し、前月の使用量が確定した日から８日を超過している場合には、予測量を入力できないようになっている。つまり、参加状況が「受付終了」となる。
【００３４】
また、参加月とは、予測する電力使用量の対象月であり、この実施の形態では、翌月（次に電力使用量が確定する月）となっている。参加状況とは、参加月に対して予測量を既に登録しているか否か、参加が可能かなどを示すものである。
【００３５】
この予測登録タスク３１１は、所定の要件を満たす需要家Ｍのみが予測量を入力可能となっている。すなわち、この実施の形態では、需要家Ｍが電力事業者によるポイントサービスを受けることを予め登録している会員であることを要する。具体的には、図３のログイン画面において、ＩＤとパスワードの入力を行える需要家Ｍであること（予測ポイントサービスのトップ画面に移れること）を要する。なお、未登録の場合には、このログイン画面において登録が可能である。
【００３６】
そして、上記の参加期限を満たす場合に、該当する契約番号の参加状況に「受付中」を表示し、「受付中」と表示されている契約番号が通信端末４で選択されると、図６に示すような予測量入力画面を表示する。そして、通信端末４で予測量が入力されると、図７に示すような予測量確認画面を表示し、通信端末４で「これでＯＫ！」が選択されると、図８に示すような予測量登録画面を表示し、この予測量を需要家ＭのＩＤや契約番号、参加月などと関連付けて、予測データとしてメモリ３２に記憶する。
【００３７】
ここで、予測量は、所定の下限量（例えば、２１ｋＷｈ）以上であることを要し、この下限量未満の予測量が入力されると、エラーメッセージを表示する。また、１つの需要家Ｍで複数の契約を有する場合には、１つの契約に対してのみ予測量を入力可能となっている。すなわち、同じ参加月においては、１つの契約番号に対してのみ予測量を登録可能で、いずれかの契約番号に対して予測量を登録した後は、当契約番号の参加状況が「参加中」で、他の契約番号の参加状況が「受付終了」となる。また、予測をするか否かは月ごとに任意であり、前月は予測しなかったが今月は予測する、ということであってもよい。
【００３８】
さらに、予測登録タスク３１１は、電力使用量サーバ２から取得した需要家Ｍの過去の電力使用量を含む、予測量のヒント、つまり、電力使用量を予測するためのヒントを通信端末４に提供するヒント提供手段として機能する。具体的に、この実施の形態では、次の３つのヒントを提供する。
【００３９】
第１に、当契約番号の実際の前月の電力使用量と電力料金を電力使用量サーバ２から取得し、図６に示す予測量入力画面において、前月の電力使用量と電力料金を表示する。第２に、当ウェブサイトの所定のサイト・ページ（マイページ）に需要家Ｍがアクセスすることで、当契約番号の過去の毎月の電力使用量と電力料金を閲覧できるようになっており、その旨を図６に示す予測量入力画面に表示する。ここで、マイページから閲覧できるデータは、電力使用量サーバ２から取得、加工したものであってもよいし、他のコンピュータ・サーバなどで取得、加工したものであってもよい。第３に、図６に示す予測量入力画面に「省エネ情報」アイコンを表示し、このアイコンがクリックされると、省エネに役立つ情報を表示する。ここで、省エネに役立つ情報は、ウェブサーバ３に記憶しもよいし、他のコンピュータ・サーバなどに記憶してもよい。
【００４０】
予測ポイントタスク３１２は、所定期間の経過後に、電力使用量サーバ２から需要家Ｍの所定期間における実際の電力使用量を取得し、この実際の電力使用量と登録された予測量との差（予測誤差）に基づいてポイントを需要家Ｍに付与するタスク・プログラムである。すなわち、当月の電力使用量が確定すると、メモリ３２に記憶されている予測データの参加月が当月である契約番号の実際の電力使用量を電力使用量サーバ２から取得し、この実際の電力使用量と予測データの予測量との予測誤差に基づいて、ポイントを決定して付与する。
【００４１】
このとき、予測誤差が小さいほど多くのポイントを付与する。例えば、予測誤差が±１０ｋＷｈ以内の場合には、図９に示すように、ピタリ賞として５０ポイント付与し、予測誤差が±２０ｋＷｈ以内の場合には、図１０に示すように、ニアピン賞として２０ポイント付与する。さらに、予測誤差が±２０ｋＷｈを超過する場合（予測がはずれている場合）には、図１１に示すように、参加賞として５ポイント付与する。このように、予測ポイントサービスに参加したすべての需要家Ｍにポイントを付与し、予測量を登録後に契約を廃止したなどの場合には、後日、参加賞に該当するポイントを付与する。また、後日、実際の電力使用量が訂正された場合には、訂正後の電力使用量に基づいてポイントを修正する。
【００４２】
ここで、電力使用量と電力料金が確定した後に、確定した電力使用量等を通知する検針通知を電力使用量サーバ２からウェブサーバ３に送信してもよいし、電力使用量等が確定した後に、ウェブサーバ３から電力使用量サーバ２にアクセスして確定した電力使用量等を取得するようにしてもよく、さらには、他のデータベースやコンピュータ・サーバを介して電力使用量等を取得してもよい。
【００４３】
また、この実施の形態では、付与したポイントを、需要家データベース３３の需要家Ｍに関連付けて記憶するとともに、現在のポイントに加算、記憶するが、他のデータベースやコンピュータ・サーバに記憶してもよい。同様に、予測結果、つまり、実際の電力使用量や予測量、獲得ポイントなど（図９〜図１１の予測結果画面）を、需要家データベース３３または他のデータベースなどに記憶する。さらに、この需要家Ｍがこれまでに予測ポイントサービスに参加した年月の一覧を示す、図１２のような参加履歴画面を作成、更新して需要家データベース３３などに記憶する。この参加履歴画面には、予測ポイントサービスに参加した各月に、その季節を表すスタンプが付与され、予測ポイントサービスへの参加を促すようになっている。
【００４４】
使用量ポイントタスク３１３は、実際の電力使用量に基づいて需要家Ｍにポイントを付与するタスク・プログラムであり、この実施の形態では、電力使用量に対応する（電力使用量に基づく）電力料金に従ってポイントを付与する。すなわち、当月の電力使用量および電力料金が確定すると、確定した各契約番号の電力料金を電力使用量サーバ２から取得し、この電力料金に基づいてポイントを算出して各需要家Ｍに付与する。このとき、この実施の形態では、単位電力料金（例えば、２００円）ごとに所定のポイントを付与する。
【００４５】
ここで、電力料金の取得方法は、予測ポイントタスク３１２と同様に、どのような方法であってもよい。また、予測ポイントタスク３１２と同様に、付与したポイントを、需要家データベース３３の需要家Ｍに関連付けて記憶するとともに、現在のポイントに加算、記憶する。ところで、電力使用量に対応する電力料金に基づいてポイントを算出、付与しているが、電力使用量に基づいて直接ポイントを算出して付与するようにしてもよい。
【００４６】
結果通知タスク３１４は、予測ポイントタスク３１２で付与されるポイントを需要家Ｍに通知するタスク・プログラムである。すなわち、予測ポイントタスク３１２によってポイントが需要家Ｍに付与されると、需要家データベース３３に記憶されているこの需要家Ｍのメールアドレスに予測結果通知メールを送信する。この予測結果通知メールには、図３に示すログイン画面へのリンクＵＲＬが付加されており、需要家ＭがこのＵＲＬにアクセスして所定の操作を行うと、図４に示す予測ポイントサービスのトップ画面が表示される。
【００４７】
そして、需要家Ｍが「結果を見る」を選択すると、図９〜図１１に示すような当月（予測結果がある最新月）の予測結果画面を表示する。さらに、図９〜図１１の予測結果画面において、需要家Ｍが「参加履歴を見る」を選択すると、図１２に示すような参加履歴画面を表示し、需要家Ｍが結果を見たい年月を指定すると、図９〜図１１に示すような当年月の予測結果を表示する。
【００４８】
次に、このような構成の電力需要家向けポイントシステム１の作用および、電力需要家向けポイントシステム１による電力需要家向けポイント方法などについて説明する。
【００４９】
まず、図１３に示すように、需要家Ｍが通信端末４でウェブサーバ３にアクセスし（ステップＳ１）、図３のログイン画面でＩＤとパスワードを入力して、さらに、予測ポイントサービスのメニューを選択すると、図４のトップ画面が通信端末４に表示される。続いて、この画面で需要家Ｍが「参加する」を選択すると、予測登録タスク３１１が起動されて（ステップＳ２）、図５の契約選択画面が通信端末４に表示される。
【００５０】
次に、需要家Ｍが予測対象の契約番号を選択すると、ウェブサーバ３と電力使用量サーバ２との間で情報・データが授受されて（ステップＳ３）、図６の予測量入力画面が通信端末４に表示される。そして、需要家Ｍが予測量を入力すると（ステップＳ４）、図７の予測量確認画面が通信端末４に表示され、需要家Ｍが「これでＯＫ！」を選択すると、図８の予測量登録画面が通信端末４に表示されて、予測量を含む予測データがメモリ３２に記憶される（ステップＳ５）。
【００５１】
その後、当月の電力使用量および電力料金が確定すると、例えば、電力使用量サーバ２からウェブサーバ３に検針通知が送信されて（ステップＳ６）、使用量ポイントタスク３１３が起動され（ステップＳ７）、当月の実電力使用量（電力料金）に基づいて全需要家Ｍにポイントが付与される。また、予測ポイントタスク３１２が起動され（ステップＳ８）、実電力使用量と登録された予測量との差に基づくポイントが、予測ポイントサービスに参加した各需要家Ｍに付与される。ここで、使用量ポイントタスク３１３によるポイントと予測ポイントタスク３１２によるポイントは、需要家Ｍの現在のポイントに加算、記憶される。
【００５２】
さらに、結果通知タスク３１４が起動され（ステップＳ９）、予測ポイントサービスに参加した各需要家Ｍに予測結果通知メールが送信される（ステップＳ１０）。そして、このメールに付加されたリンクＵＲＬに需要家Ｍがアクセスして所定の操作を行うと、図９〜図１１の予測結果画面や図１２の参加履歴画面が通信端末４に表示されるものである。また、需要家Ｍは、取得したポイントを商品や金券、提携先ポイントへの交換、抽選申し込み、あるいは寄付などに使用することができる。
【００５３】
このように、この電力需要家向けポイントシステム１および電力需要家向けポイント方法によれば、需要家Ｍが自ら電力使用量の予測量を予測、入力すると、その予測量と実際の電力使用量との差（予測誤差）が小さいほど多くのポイントが需要家Ｍに付与されるため、電力使用や電力事業者に対する需要家Ｍの関心を高めることが可能となる。すなわち、需要家Ｍは、予測量をいくらにすべきか、実際の電力使用量を予測量に近づける（予測誤差を小さくする）にはどうしたらよいか、などと検討したり工夫したりし、省エネを含む電力使用に関心を寄せることが期待できる。また、電力使用量を予測することで電力事業者からポイント・特典がもらえるため、需要家Ｍがウェブサーバ３にアクセスして電力事業者に関心を寄せることが期待でき、この結果、需要家Ｍと電力事業者との永く安定した需給関係を築くことが期待できる。
【００５４】
また、予測量を入力する際に、需要家Ｍの過去の電力使用量を含むヒントが提供されるため、需要家Ｍは、より適正な予測量を予測、入力して、予測誤差を小さくして多くのポイントを取得することが可能となる。そして、より多くのポイントを取得できるため、需要家Ｍが電力事業者により関心を寄せることが期待できるばかりでなく、過去の電力使用量や省エネに役立つ情報などのヒントを見ることで、省エネを含む電力使用により関心を寄せることが期待できる。
【００５５】
また、需要家Ｍに予測結果通知がメールされて、予測誤差に基づくポイントが、電力事業者から需要家Ｍに通知される。このため、需要家Ｍは、自ら意識しなくてもポイントつまり予測結果を知ることができ、電力使用や電力事業者に関心を寄せる機会が増え、その結果、需要家Ｍの関心を高めることが可能となる。
【００５６】
また、実際の電力使用量に基づくポイントが需要家Ｍに付与されるため、電力使用や電力事業者に対する需要家の関心を高めることが可能となる。すなわち、電力を使用した分だけ電力事業者からポイント・特典がもらえるため、需要家Ｍが電力使用や電力事業者に関心を寄せることが期待できる。このように、電力の使用によるポイントと電力使用量の予測によるポイントの双方によって、需要家Ｍの関心をより高めることが期待できる。
【００５７】
一方、前月の使用量が確定してから８日間の内（所定の受付期間内）でなければ、予測量を入力できない。つまり、この受付期間を経過した後は予測量を入力できないため、参加月（１カ月の検針期間）の終了間際になって精度の高い予測量を入力して、多くのポイントを取得するという行為を防止することができる。この結果、ポイント付与の公平化（公正化）、適正化が図られ、需要家Ｍに予測ポイントサービスへの参加を促し、需要家Ｍが電力使用や電力事業者に関心を寄せることが期待できる。
【００５８】
また、所定の要件を満たす需要家Ｍのみが予測量を入力できるため、ポイント・特典を得るためには、需要家Ｍが所定の要件を満たす必要がある。この結果、ポイント付与の公平化、適正化を図ることが可能になるとともに、所定の要件を満たすこと、この実施の形態では、ポイントサービスを受ける会員になることを需要家Ｍに促して、需要家Ｍが電力使用や電力事業者に関心を寄せることが期待できる。
【００５９】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、電力使用量サーバ２とウェブサーバ３が別体に設けられているが、一体的に設けられていてもよく、また、各サーバ２、３が複数のサーバで構成されていてもよい。
【符号の説明】
【００６０】
１        電力需要家向けポイントシステム
２        電力使用量サーバ
３        ウェブサーバ
３１１    予測登録タスク（入力手段、ヒント提供手段）
３１２    予測ポイントタスク（予測ポイント手段）
３１３    使用量ポイントタスク（使用量ポイント手段）
３１４    結果通知タスク（結果通知手段）
４        通信端末
Ｍ        需要家
ＮＷ      インターネット
【図１】
2017182608.tif 000003
【図２】
2017182608.tif 000004
【図３】
2017182608.tif 000005
【図４】
2017182608.tif 000006
【図５】
2017182608.tif 000007
【図６】
2017182608.tif 000008
【図７】
2017182608.tif 000009
【図８】
2017182608.tif 000010
【図９】
2017182608.tif 000011
【図１０】
2017182608.tif 000012
【図１１】
2017182608.tif 000013
【図１２】
2017182608.tif 000014
【図１３】
2017182608.tif 000015
【手続補正書】
【提出日】平成28年9月27日(2016.9.27)
【手続補正１】
【補正対象書類名】特許請求の範囲
【補正対象項目名】全文
【補正方法】変更
【補正の内容】
【特許請求の範囲】
【請求項１】
電力の需要家が通信端末を介してアクセス可能な電力事業者のウェブサーバと、各需要家の電力使用量を記憶する電力使用量サーバとが通信自在に接続され、
前記ウェブサーバに、
需要家が該需要家の次に電力使用量が確定する月の１カ月の電力使用量の予測量を入力可能な入力手段と、
前記１カ月の経過後に、前記電力使用量サーバから前記需要家の前記１カ月における実際の電力使用量を取得し、該実際の電力使用量と前記予測量との差が小さいほど多くのポイントを前記需要家に付与する予測ポイント手段と、を備える、
ことを特徴とする電力需要家向けポイントシステム。
【請求項２】
前記ウェブサーバに、前記電力使用量サーバから取得した前記需要家の過去の月の電力使用量を含む、前記予測量のヒントを前記通信端末に提供するヒント提供手段を備える、
ことを特徴とする請求項１に記載の電力需要家向けポイントシステム。
【請求項３】
前記ウェブサーバに、前記予測ポイント手段で付与されるポイントを前記需要家に通知する結果通知手段を備える、
ことを特徴とする請求項１または２のいずれか１項に記載の電力需要家向けポイントシステム。
【請求項４】
前記ウェブサーバに、月の実際の電力使用量に基づいて前記需要家にポイントを付与する使用量ポイント手段を備える、
ことを特徴とする請求項１から３のいずれか１項に記載の電力需要家向けポイントシステム。
【請求項５】
前記入力手段は、所定の受付期間内で前記予測量を入力可能となっている、
ことを特徴とする請求項１から４のいずれか１項に記載の電力需要家向けポイントシステム。
【請求項６】
前記入力手段は、所定の要件を満たす需要家が前記予測量を入力可能となっている、
ことを特徴とする請求項１から５のいずれか１項に記載の電力需要家向けポイントシステム。
【手続補正２】
【補正対象書類名】明細書
【補正対象項目名】０００９
【補正方法】変更
【補正の内容】
【０００９】
上記課題を解決するために、請求項１の発明は、電力の需要家が通信端末を介してアクセス可能な電力事業者のウェブサーバと、各需要家の電力使用量を記憶する電力使用量サーバとが通信自在に接続され、前記ウェブサーバに、需要家が該需要家の次に電力使用量が確定する月の１カ月の電力使用量の予測量を入力可能な入力手段と、前記１カ月の経過後に、前記電力使用量サーバから前記需要家の前記１カ月における実際の電力使用量を取得し、該実際の電力使用量と前記予測量との差が小さいほど多くのポイントを前記需要家に付与する予測ポイント手段と、を備える、ことを特徴とする電力需要家向けポイントシステムである。
【手続補正３】
【補正対象書類名】明細書
【補正対象項目名】００１１
【補正方法】変更
【補正の内容】
【００１１】
請求項２の発明は、請求項１に記載の電力需要家向けポイントシステムにおいて、前記ウェブサーバに、前記電力使用量サーバから取得した前記需要家の過去の月の電力使用量を含む、前記予測量のヒントを前記通信端末に提供するヒント提供手段を備える、ことを特徴とする。
【手続補正４】
【補正対象書類名】明細書
【補正対象項目名】００１３
【補正方法】変更
【補正の内容】
【００１３】
請求項４の発明は、請求項１から３に記載の電力需要家向けポイントシステムにおいて、前記ウェブサーバに、月の実際の電力使用量に基づいて前記需要家にポイントを付与する使用量ポイント手段を備える、ことを特徴とする。